(57)【要約】本発明は、伝送方向情報を確定する方法及びその装置を提供する。前記方法は、基地局により動的に送信された方向構成情報を取得するステップと、前記方向構成情報に基づいて、伝送方向の指示が明確でないターゲット情報伝送ユニットを確定するステップと、プリセット規則に従って、前記ターゲット情報伝送ユニットの伝送方向情報を確定するステップと、を含み、前記方向構成情報は、情報伝送リソースの伝送方向情報を指示するためのものである。本発明に提供される伝送方向情報を確定する方法を利用して、伝送リソースの伝送方向情報を効果的に明確にし、ユーザ機器の挙動の混乱を回避し、システムの安定化を確保するとともに、５Ｇネットワークにおけるユーザ機器対するユーザの体験を向上させることができる。【選択図】図１
2021507612.tif 000002
【特許請求の範囲】
【請求項１】
ユーザ機器に適用される、伝送方向情報を確定する方法であって、
基地局により動的に送信された方向構成情報を取得するステップと、
前記方向構成情報に基づいて、伝送方向指示が明確でないターゲット情報伝送ユニットを確定するステップと、
プリセット規則に従って、前記ターゲット情報伝送ユニットの伝送方向情報を確定するステップと、を含み、
前記方向構成情報は、情報伝送リソースの伝送方向情報を指示するためのものである
ことを特徴とする伝送方向情報を確定する方法。
【請求項２】
前記方向構成情報は、少なくとも基本情報伝送ユニットの方向指示情報を含む
ことを特徴とする請求項１に記載の伝送方向情報を確定する方法。
【請求項３】
前記方向構成情報に基づいて、伝送方向指示が明確でないターゲット情報伝送ユニットを確定するステップは、
前記方向構成情報に基づいて、１つの予め設定された検出時間範囲内において、対応する方向指示情報が各基本情報伝送ユニットに存在しているか否かを確定するステップと、
１つの前記予め設定された検出時間範囲内において対応する方向指示情報が一部の基本情報伝送ユニットに存在していない場合、前記一部の基本情報伝送ユニットを前記ターゲット情報伝送ユニットとして確定するステップと、を含む
ことを特徴とする請求項２に記載の伝送方向情報を確定する方法。
【請求項４】
前記方向構成情報に基づいて、伝送方向指示が明確でないターゲット情報伝送ユニットを確定するステップは、
前記方向構成情報に基づいて、同一の予め設定された基本情報伝送ユニットに対する少なくとも２つの方向指示情報を確定するステップと、
前記少なくとも２つの方向指示情報が一致しているか否かを確定するステップと、
前記少なくとも２つの方向指示情報が完全に一致しない場合、前記予め設定された基本情報伝送ユニットを前記ターゲット情報伝送ユニットとして確定するステップと、を含む
ことを特徴とする請求項２に記載の伝送方向情報を確定する方法。
【請求項５】
前記方向構成情報は、基本情報伝送ユニットの識別子情報をさらに含み、
前記方向構成情報に基づいて、同一の予め設定された基本情報伝送ユニットに対する少なくとも２つの方向指示情報を確定するステップは、
前記方向構成情報のそれぞれに含まれた前記基本情報伝送ユニットの識別子情報に基づいて、繰り返し指示識別子が存在しているか否かを確定するステップと、
前記繰り返し指示識別子が存在する場合、前記繰り返し指示識別子に対応する少なくとも２つの方向指示情報を確定するステップと、を含む
ことを特徴とする請求項４に記載の伝送方向情報を確定する方法。
【請求項６】
前記ターゲット情報伝送ユニットの伝送方向情報は、
既に指示された伝送ユニットの方向指示情報を参照して、前記ターゲット情報伝送ユニットの伝送方向情報を確定する方式と、
前記ターゲット情報伝送ユニットの伝送方向情報を、構成しないｕｎｋｎｏｗｎとして確定する方式と、
第１の予め設定された方向構成情報に基づいて、前記ターゲット情報伝送ユニットの伝送方向情報を確定する方式と、のうちのいずれか一つを利用して確定され、
前記既に指示された伝送ユニットは、前記ターゲット情報伝送ユニットとともに同一の前記予め設定された検出時間範囲に属する基本情報伝送ユニットである
ことを特徴とする請求項３に記載の伝送方向情報を確定する方法。
【請求項７】
前記ターゲット情報伝送ユニットの伝送方向情報は、
最新に取得された方向指示情報を参照して、前記ターゲット情報伝送ユニットの伝送方向情報を確定する方式と、
前記ターゲット情報伝送ユニットの伝送方向情報を、構成しないｕｎｋｎｏｗｎとして確定する方式と、
第１の予め設定された方向構成情報に基づいて、前記ターゲット情報伝送ユニットの伝送方向情報を再確定する方式と、のうちのいずれか一つを利用して確定される
ことを特徴とする請求項４又は５に記載の伝送方向情報を確定する方法。
【請求項８】
前記基本情報伝送ユニットがより小さなリソース粒度を有する単位時間領域リソースからなり、前記方向指示情報が前記単位時間領域リソースを方向指示粒度とする場合、
前記プリセット規則に従って、前記ターゲット情報伝送ユニットの伝送方向情報を確定するステップは、
前記ターゲット情報伝送ユニットにおける対応する少なくとも２つの方向指示情報に基づいて、方向指示情報が一致しないターゲット単位時間領域リソースを確定するステップと、
第２の予め設定された方向構成情報に従って、前記ターゲット単位時間領域リソースの伝送方向情報を確定するステップと、を含む
ことを特徴とする請求項４又は５に記載の伝送方向情報を確定する方法。
【請求項９】
ユーザ機器に設けられる、伝送方向情報を確定する装置であって、
基地局により動的に送信された方向構成情報を取得するように配置される情報取得モジュールと、
前記方向構成情報に基づいて、伝送方向指示が明確でないターゲット情報伝送ユニットを確定するように配置されるターゲット確定モジュールと、
プリセット規則に従って、前記ターゲット情報伝送ユニットの伝送方向情報を確定するように配置される方向情報確定モジュールと、を備え、
前記方向構成情報は、情報伝送リソースの伝送方向情報を指示するためのものである
ことを特徴とする伝送方向情報を確定する装置。
【請求項１０】
前記方向構成情報は、少なくとも基本情報伝送ユニットの方向指示情報を含む
ことを特徴とする請求項９に記載の伝送方向情報を確定する装置。
【請求項１１】
前記ターゲット確定モジュールは、
前記方向構成情報に基づいて、１つの予め設定された検出時間範囲内において、対応する方向指示情報が各基本情報伝送ユニットに存在しているか否かを確定するように配置される第１の検出サブモジュールと、
１つの前記予め設定された検出時間範囲内における一部の基本情報伝送ユニットに対応する方向指示情報が存在していない場合、前記一部の基本情報伝送ユニットを前記ターゲット情報伝送ユニットとして確定するように配置される第１のターゲット確定サブモジュールと、を備える
ことを特徴とする請求項１０に記載の伝送方向情報を確定する装置。
【請求項１２】
前記ターゲット確定モジュールは、
前記方向構成情報に基づいて、同一の予め設定された基本情報伝送ユニットに対する少なくとも２つの方向指示情報を確定するように配置される指示情報確定サブモジュールと、
前記少なくとも２つの方向指示情報が一致しているか否かを確定するように配置される第２の検出サブモジュールと、
前記少なくとも２つの方向指示情報が完全に一致しない場合、前記予め設定された基本情報伝送ユニットを前記ターゲット情報伝送ユニットとして確定するように配置される第２のターゲット確定サブモジュールと、を備える
ことを特徴とする請求項１０に記載の伝送方向情報を確定する装置。
【請求項１３】
前記方向構成情報は、基本情報伝送ユニットの識別子情報をさらに含み、
前記指示情報確定サブモジュールは、
前記方向構成情報のそれぞれに含まれた前記基本情報伝送ユニットの識別子情報に基づいて、繰り返し指示識別子が存在しているか否かを確定するように配置されるターゲット識別子確定ユニットと、
前記繰り返し指示識別子が存在する場合、前記繰り返し指示識別子に対応する少なくとも２つの方向指示情報を確定するように配置される指示情報確定ユニットと、を備える
ことを特徴とする請求項１２に記載の伝送方向情報を確定する装置。
【請求項１４】
前記方向情報確定モジュールは、
既に指示された伝送ユニットの方向指示情報を参照して、前記ターゲット情報伝送ユニットの伝送方向情報を確定するように配置される第１の方向情報確定サブモジュールと、
前記ターゲット情報伝送ユニットの伝送方向情報を、構成しないｕｎｋｎｏｗｎとして確定するように配置される第２の方向情報確定サブモジュールと、
第１の予め設定された方向構成情報に基づいて、前記ターゲット情報伝送ユニットの伝送方向情報を確定するように配置される第３の方向情報確定サブモジュールと、のうちのいずれか一つを備え、
前記既に指示された伝送ユニットとは、前記ターゲット情報伝送ユニットとともに同一の前記予め設定された検出時間範囲に属する基本情報伝送ユニットである
ことを特徴とする請求項１１に記載の伝送方向情報を確定する装置。
【請求項１５】
前記方向情報確定モジュールは、
最新に取得された方向指示情報を参照して、前記ターゲット情報伝送ユニットの伝送方向情報を確定するように配置される第４の方向情報確定サブモジュールと、
前記ターゲット情報伝送ユニットの伝送方向情報を、構成しないｕｎｋｎｏｗｎとして確定するように配置される第５の方向情報確定サブモジュールと、
第１の予め構成された方向構成情報に基づいて、前記ターゲット情報伝送ユニットの伝送方向情報を再確定するように配置される第６の方向情報確定サブモジュールと、のうちのいずれか一つを備える
ことを特徴とする請求項１２又は１３に記載の伝送方向情報を確定する装置。
【請求項１６】
前記基本情報伝送ユニットがより小さなリソース粒度を有する単位時間領域リソースからなり、前記方向指示情報が前記単位時間領域リソースを方向指示粒度とする場合、
前記方向情報確定モジュールは、
前記ターゲット情報伝送ユニットにおける対応する少なくとも２つの方向指示情報に基づいて、方向指示情報が一致しないターゲット単位時間領域リソースを確定するように配置されるターゲットリソース確定サブモジュールと、
第２の予め設定された方向構成情報に従って、前記ターゲット単位時間領域リソースの伝送方向情報を確定するように配置される方向情報確定サブモジュールと、を備える
ことを特徴とする請求項１２又は１３に記載の伝送方向情報を確定する装置。
【請求項１７】
コンピュータ命令が記憶されている非一時的コンピュータ読み取り可能な記録媒体であって、
前記コンピュータ命令がプロセッサーにより実行される場合、請求項１〜８のいずれか１項に記載の方法のステップを実現する
ことを特徴とする非一時的コンピュータ読み取り可能な記録媒体。
【請求項１８】
伝送方向情報を確定する装置であって、
プロセッサーと、
プロセッサーの実行可能な命令を記憶するためのメモリと、を備え、
前記プロセッサーは、
基地局により動的に送信された方向構成情報を取得し、
前記方向構成情報に基づいて、伝送方向指示が明確でないターゲット情報伝送ユニットを確定し、
プリセット規則に従って、前記ターゲット情報伝送ユニットの伝送方向情報を確定するように配置され、
前記方向構成情報は、情報伝送リソースの伝送方向情報を指示するためのものである
ことを特徴とする伝送方向情報を確定する装置。
【発明の詳細な説明】
【技術分野】
【０００１】
本発明は、通信技術分野に関し、特に、伝送方向情報を確定する方法及びその装置に関する。
【背景技術】
【０００２】
移動通信技術は，無線通信技術の発展に伴って徐々に５Ｇネットワークへ進化している。５Ｇネットワークは、データ伝送速度、カバレッジ、遅延、容量などの方面の能力が大幅に向上され、ブロードバンド接続、モノのインターネット、車両のインターネット、広域カバレッジなどの多くの分野に適用されることができる。現在、確定された５Ｇネットワークサービスタイプには、主にＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ、超高信頼性低遅延通信）サービス、ｍＭＴＣ（ｍａｓｓｉｖｅ  Ｍａｃｈｉｎｅ  Ｔｙｐｅ  Ｃｏｍｍｕｎｉｃａｔｉｏｎ、大規模マシンタイプ通信）サービス、ｅＭＢＢ（ｅｎｈａｎｃｅｄ  Ｍｏｂｉｌｅ  Ｂｒｏａｄ  Ｂａｎｄ、広帯域通信）サービスが含まれる。異なるサービスタイプは,無線通信技術に対する要求が異なり、例えば、ＥＭＢＢサービスタイプの要求は、大帯域幅、高速度などの方面に焦点を当て、ＵＲＬＬＣサービスタイプの要求は、高信頼性及び低遅延の方面に焦点を当て、ｍＭＴＣサービスタイプは、多くの接続数の要求の方面に焦点を当てている。異なるサービスニーズを満たすために、５Ｇネットワーク通信技術の重要な特徴の１つは、リソースの柔軟な構成をサポートすることである。
【０００３】
上記のリソースの柔軟な構成には、時間周波数リソース伝送方向に対する基地局の柔軟な構成が含まれる。５Ｇネットワーク通信システムにおいて、基地局は、同じＵＥに対して異なる時間のサービス伝送要求に応じて異なる方向構成情報を構成することができる。上記伝送方向情報の構成は柔軟性が高いので、１つの基本情報伝送ユニットの伝送方向が重複構成され、且つ構成された伝送方向が異なり、或いは、基本情報伝送ユニットの一部の構成が漏れるなどの予期しない状況が発生する可能性がある。従って、ＵＥの挙動を混乱になり、システムが不安定になり、ユーザの体験が低下される場合がある。
【発明の概要】
【発明が解決しようとする課題】
【０００４】
本発明の実施例は、関連技術に存在する問題を克服するためのものであり、伝送リソースの伝送方向情報を効果的に明確にすることによって、端末の挙動が混乱になることを回避し、システムの安定化を確保することができる伝送方向情報を確定する方法及びその装置を提供する。
【課題を解決するための手段】
【０００５】
本発明の実施例の第１の態様によれば、ユーザ機器に適用される、伝送方向情報を確定する方法であって、
基地局により動的に送信された方向構成情報を取得するステップと、
前記方向構成情報に基づいて、伝送方向の指示が明確でないターゲット情報伝送ユニットを確定するステップと、
プリセット規則に従って、前記ターゲット情報伝送ユニットの伝送方向情報を確定するステップと、を含み、前記方向構成情報は、情報伝送リソースの伝送方向情報を指示するための伝送方向情報を確定する方法を提供する。
【０００６】
選択的に、前記方向構成情報は、少なくとも基本情報伝送ユニットの方向指示情報を含む。
【０００７】
選択的に、前記方向構成情報に基づいて、伝送方向の指示が明確でないターゲット情報伝送ユニットを確定するステップは、
前記方向構成情報に基づいて、１つの予め設定された検出時間範囲内において、対応する方向指示情報が各基本情報伝送ユニットに存在しているか否かを確定するステップと、
１つの前記予め設定された検出時間範囲内において対応する方向指示情報が一部の基本情報伝送ユニットに存在していない場合、前記一部の基本情報伝送ユニットを前記ターゲット情報伝送ユニットとして確定するステップと、を含む。
【０００８】
選択的に、前記方向構成情報に基づいて、伝送方向の指示が明確でないターゲット情報伝送ユニットを確定するステップは、
前記方向構成情報に基づいて、同一の予め設定された基本情報伝送ユニットに対する少なくとも２つの方向指示情報を確定するステップと、
前記少なくとも２つの方向指示情報が一致しているか否かを確定するステップと、
前記少なくとも２つの方向指示情報が完全に一致しない場合、前記予め設定された基本情報伝送ユニットを前記ターゲット情報伝送ユニットとして確定するステップと、を含む。
【０００９】
選択的に、前記方向構成情報は、基本情報伝送ユニットの識別子情報をさらに含み、
前記方向構成情報に基づいて、同一の予め設定された基本情報伝送ユニットに対する少なくとも２つの方向指示情報を確定するステップは、
前記方向構成情報のそれぞれに含まれた前記基本情報伝送ユニットの識別子情報に基づいて、繰り返し指示識別子が存在しているか否かを確定するステップと、
前記繰り返し指示識別子が存在している場合、前記繰り返し指示識別子に対応する少なくとも２つの方向指示情報を確定するステップと、を含む。
【００１０】
選択的に、既に指示された伝送ユニットの方向指示情報を参照して、前記ターゲット情報伝送ユニットの伝送方向情報を確定する方式と、
前記ターゲット情報伝送ユニットの伝送方向情報を、構成しないｕｎｋｎｏｗｎとして確定する方式と、
第１の予め設定された方向構成情報に基づいて、前記ターゲット情報伝送ユニットの伝送方向情報を確定する方式と、のうちのいずれか一つを利用して前記ターゲット情報伝送ユニットの伝送方向情報を確定し、
前記既に指示された伝送ユニットは、前記ターゲット情報伝送ユニットとともに同一の前記予め設定された検出時間範囲に属する基本情報伝送ユニットである。
【００１１】
選択的に、最新に取得された方向指示情報を参照して、前記ターゲット情報伝送ユニットの伝送方向情報を確定する方式と、
前記ターゲット情報伝送ユニットの伝送方向情報を、構成しないｕｎｋｎｏｗｎとして確定する方式と、
第１の予め設定された方向構成情報に基づいて、前記ターゲット情報伝送ユニットの伝送方向情報を再確定する方式と、のうちのいずれか一つを利用して
前記ターゲット情報伝送ユニットの伝送方向情報を確定する。
【００１２】
選択的に、前記基本情報伝送ユニットがより小さなリソース粒度を有する単位時間領域リソースからなり、且つ前記方向指示情報が前記単位時間領域リソースを方向指示粒度とする場合、
前記のプリセット規則に従って、前記ターゲット情報伝送ユニットの伝送方向情報を確定するステップは、
前記ターゲット情報伝送ユニットにおける対応する少なくとも２つの方向指示情報に基づいて、方向指示情報が一致していないターゲット単位時間領域リソースを確定するステップと、
第２の予め設定された方向構成情報に従って、前記ターゲット単位時間領域リソースの伝送方向情報を確定するステップと、を含む。
【００１３】
本発明の実施例の第２の態様によれば、ユーザ機器に設けられる、伝送方向情報を確定する装置であって、
基地局により動的に送信された方向構成情報を取得するように配置される情報取得モジュールと、
前記方向構成情報に基づいて、伝送方向の指示が明確でないターゲット情報伝送ユニットを確定するように配置されるターゲット確定モジュールと、
プリセット規則に従って、前記ターゲット情報伝送ユニットの伝送方向情報を確定するように配置される方向情報確定モジュールと、を備え、前記方向構成情報は、情報伝送リソースの伝送方向情報を指示するためのものである伝送方向情報を確定する装置を提供する。
【００１４】
選択的に、前記方向構成情報は、少なくとも基本情報伝送ユニットの方向指示情報を含む。
【００１５】
選択的に、前記ターゲット確定モジュールは、
前記方向構成情報に基づいて、１つの予め設定された検出時間範囲内において、対応する方向指示情報が各基本情報伝送ユニットに存在しているか否かを確定するように配置される第１の検出サブモジュールと、
１つの前記予め設定された検出時間範囲内において対応する方向指示情報が一部の基本情報伝送ユニットに存在していない場合、前記一部の基本情報伝送ユニットを前記ターゲット情報伝送ユニットとして確定するように配置される第１のターゲット確定サブモジュールと、を備える。
【００１６】
選択的に、前記ターゲット確定モジュールは、
前記方向構成情報に基づいて、同一の予め設定された基本情報伝送ユニットに対する少なくとも２つの方向指示情報を確定するように配置される指示情報確定サブモジュールと、
前記少なくとも２つの方向指示情報が一致しているか否かを確定するように配置される第２の検出サブモジュールと、
前記少なくとも２つの方向指示情報が完全に一致しない場合、前記予め設定された基本情報伝送ユニットを前記ターゲット情報伝送ユニットとして確定するように配置される第２のターゲット確定サブモジュールと、を備える。
【００１７】
選択的に、前記方向構成情報は、基本情報伝送ユニットの識別子情報をさらに含み、
前記指示情報確定サブモジュールは、
前記方向構成情報のそれぞれに含まれた前記基本情報伝送ユニットの識別子情報に基づいて、繰り返し指示識別子が存在しているか否かを確定するように配置されるターゲット識別子確定ユニットと、
前記繰り返し指示識別子が存在する場合、前記繰り返し指示識別子に対応する少なくとも２つの方向指示情報を確定するように配置される指示情報確定ユニットと、を備える。
【００１８】
選択的に、前記方向情報確定モジュールは、
既に指示された伝送ユニットの方向指示情報を参照して、前記ターゲット情報伝送ユニットの伝送方向情報を確定するように配置される第１の方向情報確定サブモジュールと、
前記ターゲット情報伝送ユニットの伝送方向情報を、構成しないｕｎｋｎｏｗｎとして確定するように配置される第２の方向情報確定サブモジュールと、
第１の予め設定された方向構成情報に基づいて、前記ターゲット情報伝送ユニットの伝送方向情報を確定するように配置される第３の方向情報確定サブモジュールと、のうちのいずれか一つを備え、前記既に指示された伝送ユニットは、前記ターゲット情報伝送ユニットとともに同一の前記予め設定された検出時間範囲に属する基本情報伝送ユニットである。
【００１９】
選択的に、前記方向情報確定モジュールは、
最新に取得された方向指示情報を参照して、前記ターゲット情報伝送ユニットの伝送方向情報を確定するように配置される第４の方向情報確定サブモジュールと、
前記ターゲット情報伝送ユニットの伝送方向情報を、構成しないｕｎｋｎｏｗｎとして確定するように配置される第５の方向情報確定サブモジュールと、
第１の予め設定された方向構成情報に基づいて、前記ターゲット情報伝送ユニットの伝送方向情報を再確定するように配置される第６の方向情報確定サブモジュールと、のうちのいずれか一つを備える。
【００２０】
選択的に、前記基本情報伝送ユニットがより小さなリソース粒度有する単位時間領域リソースからなり、且つ前記方向指示情報が前記単位時間領域リソースを方向指示粒度とする場合、
前記方向情報確定モジュールは、
前記ターゲット情報伝送ユニットにおける対応する少なくとも２つの方向指示情報に基づいて、方向指示情報が一致していないターゲット単位時間領域リソースを確定するように配置されるターゲットリソース確定サブモジュールと、
第２の予め設定された方向構成情報に従って、前記ターゲット単位時間領域リソースの伝送方向情報を確定するように配置される方向情報確定サブモジュールと、を備える。
【００２１】
本発明の実施例の第３の態様によれば、コンピュータ命令が記憶されている非一時的コンピュータ読み取り可能な記録媒体であって、上記コンピュータ命令がプロセッサーにより実行される場合、上記の第１の態様のいずれか一つに記載の方法のステップを実現することを特徴とする非一時的コンピュータ読み取り可能な記録媒体を提供する。
【００２２】
本発明の実施例の第４の態様によれば、伝送方向情報を確定する装置を提供し、前記装置は、
プロセッサーと、
プロセッサーの実行可能な命令を記憶するためのメモリと、を備え、
前記プロセッサーは、
基地局により動的に送信された方向構成情報を取得し、
前記方向構成情報に基づいて、伝送方向の指示が明確でないターゲット情報伝送ユニットを確定し、
プリセット規則に従って、前記ターゲット情報伝送ユニットの伝送方向情報を確定するように配置され、前記方向構成情報は、情報伝送リソースの伝送方向情報を指示するためのものである伝送方向情報を確定する装置を提供する。
【発明の効果】
【００２３】
本発明により提供される技術案によれば、以下のような技術効果が奏することができる。
【００２４】
本発明の実施例において、基地局によりターゲット情報伝送ユニットに対して指示された伝送方向情報が明確でない場合、プリセット規則に従ってターゲット情報伝送ユニットの伝送方向情報を明確に確定することによって、不明確である伝送方向情報によるＵＥの挙動の混乱及びシステムの不安定化を回避することができるので、システム伝送リソースの構成の柔軟性を確保するとともに、システムの安定性を効果的に向上し、情報伝送の信頼性を確保し、異なるサービスのニーズを満たし、５Ｇネットワーク機器に対するユーザの経験を向上させることができる。
【図面の簡単な説明】
【００２５】
ここの図面は、明細書に組み入れて本明細書の一部分を構成し、本発明に該当する実施例を例示するとともに、明細書とともに本発明の原理を解釈する。
【図１】一例示的な実施例に係る伝送方向情報を確定する方法を示すフローチャートである。
【図２】本発明の一例示的な実施例に係る別の伝送方向情報を確定する方法を示すフローチャートである。
【図３】本発明の一例示的な実施例に係る別の伝送方向情報を確定する方法を示すフローチャートである。
【図４−１】本発明の一例示的な実施例に係る伝送方向情報を確定する模式図である。
【図４−２】本発明の一例示的な実施例に係る伝送方向情報を確定する別の模式図である。
【図５】本発明の一例示的な実施例に係る別の伝送方向情報を確定する方法を示すフローチャートである。
【図６】本発明の一例示的な実施例に係る伝送方向情報を確定する別の模式図である。
【図７】本発明の一例示的な実施例に係る別の伝送方向情報を確定する方法を示すフローチャートである。
【図８】本発明の一例示的な実施例に係る別の伝送方向情報を確定する方法を示すフローチャートである。
【図９−１】本発明の一例示的な実施例に係る伝送方向情報を確定する応用シナリオを示す模式図である。
【図９−２】本発明の一例示的な実施例に係る伝送方向情報を確定する別の応用シナリオを示す模式図である。
【図９−３】本発明の一例示的な実施例に係る伝送方向情報を確定する別の応用シナリオを示す模式図である。
【図１０】一例示的な実施例に係る伝送方向情報を確定する装置を示すブロック図である。
【図１１】本発明の一例示的な実施例に係る別の伝送方向情報を確定する装置を示すブロック図である。
【図１２】本発明の一例示的な実施例に係る別の伝送方向情報を確定する装置を示すブロック図である。
【図１３】本発明の一例示的な実施例に係る別の伝送方向情報を確定する装置を示すブロック図である。
【図１４】本発明の一例示的な実施例に係る別の伝送方向情報を確定する装置を示すブロック図である。
【図１５】本発明の一例示的な実施例に係る別の伝送方向情報を確定する装置を示すブロック図である。
【図１６】本発明の一例示的な実施例に係る別の伝送方向情報を確定する装置を示すブロック図である。
【図１７】本発明の一例示的な実施例に係る伝送方向情報を確定するための装置を示す構造模式図である。
【発明を実施するための形態】
【００２６】
以下、例示的な実施例を詳しく説明し、その例示を図面に示す。以下の記載が図面に関わる場合、特に別の説明がない限り、異なる図面における同一シンボルは、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２７】
本発明に係る実行主体は、基地局及びユーザ機器（ＵＥ：Ｕｓｅｒ  Ｅｑｕｉｐｍｅｎｔ）を含む。ここで、基地局は、大規模なアンテナアレイが設けられた基地局、サブ基地局などであってもよい。ユーザ機器（ＵＥ）は、ユーザ端末、ユーザノード、モバイル端末、またはタブレットＰＣなどであってもよい。具体的な実現プロセスにおいて、基地局及びユーザ機器は、それぞれ独立するとともに、互いに関連され、本発明に提供される技術案を共同で実現する。
【００２８】
本発明の実施例のプリケーションシナリオは、ＵＥにより取得された方向構成情報に、伝送方向の指示の明確でない一部の時間領域リソースが存在する場合である。上記の場合、ＵＥは、上記の一部の時間領域リソースを利用できるか否かを確定できず、或いは、ＵＥは、上記の一部の時間領域リソースを利用できることが確定された場合、どのように上記のリソースを利用して情報伝送を行うべきかを知らない。これに基づいて、本発明は、上記一部の伝送リソースの伝送方向情報を明確にして、後続にＵＥの挙動が明確にされることができる伝送方向情報を確定する方法を提供する。
【００２９】
図１を参照すると、一例示的な実施例に係る伝送方向情報を確定する方法を示すフローチャートである。前記方法は、ユーザ機器（ＵＥ）に適用されるものであり、下記のステップを含むことができる。
【００３０】
ステップ１１において、基地局により動的に送信された方向構成情報を取得する。前記方向構成情報は、情報伝送リソースの伝送方向情報を指示するために使用される。
【００３１】
５Ｇ通信システムにおいて、基地局は、基本情報伝送ユニットで情報伝送リソースをスケジュールする。上記情報伝送リソースは、データ伝送を伝送する時間周波数リソースであり、５Ｇ通信システムにおいて主に時間領域リソースを指す。本発明において、基本情報伝送ユニットは、時間領域において１つのサブフレーム（ｓｕｂｆｒａｍｅ）、１つのスロット（ｓｌｏｔ）、１つのミニスロット（ｍｉｎｉ−ｓｌｏｔ）、１つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボル（ｓｙｍｂｏｌ）などであってもよいが、本発明ではこれに対して限定しない。ここで、１つのシンボルが占める時間長が最も短く；ミニスロットは、例えば７個のシンボルのようないくつかのシンボルを含むことができ、スロットに含まれているシンボルの数は、ミニスロットにおけるシンボルの数よりもわずかに大きい。例えば、１つのｓｌｏｔは、１４個のシンボルで構成される。
【００３２】
基地局は、１つのＵＥに時間領域リソースをスケジューリングする時、ＵＥに時間領域リソースの伝送方向を知らせる必要がある。いわゆる時間領域リソースの伝送方向情報は、現在のリソースがアップリンク情報伝送、ダウンリンク情報伝送に利用されること、或いは情報の伝送に利用されないことを示すための情報である。
【００３３】
ＵＥが基地局により動的に送信された方向構成情報をどのように取得するかに関して、図２を参照すると、一例示的な実施例に係る別の伝送方向情報を確定する方法を示すフローチャートである。上記のステップ１１は、下記のステップを含むことができる。
【００３４】
ステップ１１１において、基地局により送信されたプリセット構成情報を受信し、前記プリセット構成情報は、少なくとも前記方向構成情報の検出時間情報を含む。
【００３５】
本発明の実施例において、上記プリセット構成情報は、基地局により送信された方向構成情報をどのように検出するかをＵＥに知らせるためのものである。本発明の一実施例において、基地局は、上記プリセット構成情報をシステム情報のようなブロードキャスト信号にロードし、それをブロードキャスト方式によりＵＥに送信することができる。
【００３６】
本発明の別の実施例において、ＵＥがセルネットワークにアクセスした後、基地局は、上記プリセット構成情報を上位層のＲＲＣ（Ｒａｄｉｏ  Ｒｅｓｏｕｒｃｅ  Ｃｏｎｔｒｏｌ、無線リソース制御プロトコル）信号にロードし、それをユニキャスト方式によりＵＥに送信することで、方向構成情報をどのように検出するかをターゲットＵＥに知らせることができる。
【００３７】
ここで、上記プリセット構成情報は、少なくとも方向構成情報の検出時間情報を含む。ＵＥは、上記方向構成情報の検出時間情報に基づいて、基地局により送信された方向構成情報をどの時間範囲内で検出するかを確定することができる。
【００３８】
本発明の別の実施例において、上記プリセット構成情報は、前記方向構成情報の位置情報をさらに含むことができる。ＵＥは、上記方向構成情報の位置情報に基づいて、どの基本情報伝送ユニットにて、又は基本情報伝送ユニットのどの単位時間領域リソースを指定する際に方向構成情報を取得するかを確定することができる。
【００３９】
本発明において、基地局は、周期的な構成方式を採用してデータ伝送リンクに方向構成情報を設定することができる。この場合、方向構成情報の検出時間情報は、具体的に、１つの予め設定された時間期間の方向構成情報の検出周期であり、例えば、４つの基本情報伝送ユニットを含む検出周期であることができる。ＵＥは、上記方向構成情報の検出周期を取得した後、４つの基本情報伝送ユニットのそれぞれに方向構成情報を１回検出することができる。
【００４０】
ステップ１１２において、前記方向構成情報の検出時間情報に基づいて、基地局により送信された伝送リソースの方向構成情報を取得する。
【００４１】
本発明において、基地局は、上記方向構成情報を物理層のＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）信号に動的にロードし、それをＵＥに動的に送信することができる。
【００４２】
ＵＥは、上記方向構成情報の検出時間を取得した後、上記検出時間範囲内で予め設定された検出方式に従って、基地局により送信された方向構成情報を検出することができる。
【００４３】
方向構成情報の検出方式に関して、一実施例では、ＵＥは、基地局が上記プリセット構成情報の中に上記方向構成情報の設定位置を知らせていなかった場合、上記検出時間範囲内でブラインド検出方式で監視し、即ち、上記方向構成情報をリアルタイムに監視することができる。
【００４４】
本発明の別の実施例において、基地局は、上記プリセット構成情報を介して、上記方向構成情報の設定位置をＵＥに知らせることもできる。即ち、上記プリセット構成情報は、方向構成情報の位置情報をさらに含むことができる。例えば、上記方向構成情報は、上記検出時間範囲内に第１の基本情報伝送ユニットの予め設定された単位時間領域リソースに設定される。それに応じて、ＵＥは、上記方向構成情報の位置情報を取得した後、上記検出時間範囲内で上記位置情報に基づいて、方向構成情報を正確に位置決めて迅速に取得することによって、方向構成情報の検出効率を向上させることができる。
【００４５】
ステップ１２において、前記方向構成情報に基づいて、伝送方向が明確でないターゲット情報伝送ユニットを確定する。
【００４６】
上記のように、５Ｇ無線通信システムでは、基地局は、基本情報伝送ユニットをスケジューリング粒度としてリソース構成を行う。通常の状況では、ＵＥは、１つ又は順次取得された複数の方向構成情報に基づいて、１つの検出時間範囲内に各基本情報伝送ユニットの伝送方向情報を明確に確定することができる。
【００４７】
５Ｇネットワークサービスには多くの種類があるので、基地局は、異なるサービスニーズに応じて時間領域リソースを動的且つ柔軟に構成する必要がある。上記時間領域リソースの方向構成情報を動的に構成するプロセスにおいて、下記の２つの状況が発生する可能性がある。
【００４８】
第１の状況：１つの予め設定された検出時間範囲内において、一部の基本情報伝送ユニットの伝送方向情報が指示されていない。
【００４９】
第２の状況：１つの予め設定された検出時間範囲内において、一部の基本情報伝送ユニットの伝送方向が異なる方向構成情報にて指示され、且つ指示方向情報が一致していない。
【００５０】
上記の２つの状況は、いずれも伝送リソースに対する基地局の伝送方向の指示が不明確である状況に属する。
【００５１】
本発明の実施例では、ＵＥにより動的に取得された各方向構成情報には、少なくとも基本情報伝送ユニットの方向指示情報が含まれている。ここで、上記方向指示情報は、アップリンク、ダウンリンク、構成しないｕｎｋｎｏｗｎを含むことができる。
【００５２】
それに応じて、上記ステップ１２は、下記の２つの実施形態を含む。
【００５３】
第１の実施形態：上記第１の状況の確定方式に対応し、図３を参照すると、一例示的な実施例に係る別の伝送方向情報を確定する方法を示すフローチャートである。上記ステップ１２は、下記のステップを含むことができる。
【００５４】
ステップ１２１１において、前記方向構成情報に基づいて、１つの予め設定された検出時間範囲内において対応する方向指示情報が各基本情報伝送ユニットに存在しているか否かを確定する。
【００５５】
本発明において、１つの方向構成情報は、予め設定された数の基本情報伝送ユニットの方向指示情報であることができる。上記予め設定された数は、１つの予め設定された検出時間範囲に対応される基本情報伝送ユニットの数より大きいことができる。つまり、以下の図４−２のＳｌｏｔ４の方向指示情報の一例のように、現在の検出時間範囲に含まれる基本情報伝送ユニットの伝送方向は、１つ前の検出時間範囲内で取得された方向構成情報により指示されることができる。
【００５６】
ステップ１２１２において、１つの前記予め設定された検出時間範囲内において対応される方向指示情報が一部の基本情報伝送ユニットに存在しない場合、前記一部の基本情報伝送ユニットをターゲット情報伝送ユニットとして確定する。
【００５７】
上記ターゲット情報伝送ユニットは、伝送方向が指示されていない基本情報伝送ユニットを指す。
【００５８】
例示的に、図４−１を参照すると、一例示的な実施例に係る伝送方向情報を確定する応用シナリオを示す模式図である。仮に、上記プリセット構成情報により指示される予め設定された検出時間範囲には、４つの基本情報伝送ユニットが含まれ、即ち、基地局がＵＥに４つの基本情報伝送ユニットの間隔をおいて方向構成情報を１回検出するように指示する。基本情報伝送ユニットが１つのｓｌｏｔである場合を一例として、図４−１に示すように、ＵＥが記号０のスロット、即ちｓｌｏｔ０で方向構成情報を運搬するＰＤＣＣＨ信号を検出したと仮定し、そして、Ｄｃ１に示すと仮定する。上記Ｄｃ１においてｓｌｏｔ０、ｓｌｏｔ１、即ち図面のＳ０、Ｓ１の伝送方向情報のみが指示され、ｓｌｏｔ２、ｓｌｏｔ３、即ち図面のＳ２、Ｓ３の伝送方向情報が指示されない場合、上記ｓｌｏｔ２、ｓｌｏｔ３を伝送方向情報の確定待ちのターゲット情報伝送ユニットとして確定する。
【００５９】
図４−２を参照すると、一例示的な実施例に係る伝送方向情報を確定する応用シナリオを示す模式図である。本発明の別の実施例では、１つの方向構成情報により指示される基本情報伝送ユニットの数は、１つの予め設定された検出時間範囲に含まれる基本情報伝送ユニットの数より大きくなってもよい。図４−２に示すように、Ｄｃ１がｓｌｏｔ０、ｓｌｏｔ１、ｓｌｏｔ２、ｓｌｏｔ３、ｓｌｏｔ４の伝送方向情報を指示し、ｓｌｏｔ４の中で運搬される第２の方向構成情報、即ちＤｃ２がｓｌｏｔ６、ｓｌｏｔ７の伝送方向情報を指示すると仮定した場合、Ｄｃ１により運搬される第１の方向構成情報及びＤｃ２により運搬される第２の方向構成情報に基づいて、ｓｌｏｔ５には対応する方向指示情報が存在しないことを確定する。これにり、ｓｌｏｔ５をターゲット情報伝送ユニットとして確定することができる。
【００６０】
第２の実施形態は、上記の第２の状況の確定方式に対応する。
【００６１】
図５を参照すると、一例示的な実施例に係る別の伝送方向情報を確定する方法を示すフローチャートである。上記ステップ１２は、下記のステップを含むことができる。
【００６２】
ステップ１２０１において、前記方向構成情報に基づいて、同一の予め設定された基本情報伝送ユニットに対する少なくとも２つの方向指示情報を確定する。
【００６３】
本発明の一実施例では、１つの方向構成情報に方向指示情報のみが含まれている場合、ＵＥは、プリセット規則に従って、上記方向指示情報に対応する基本情報伝送ユニットを確定することができる。例示的に、仮に、ＵＥが現在の基本情報伝送ユニットにより取得された方向構成情報に２組の方向指示情報が含まれている場合、プリセット規則に従って、ＵＥは、上記方向指示情報の配列位置に基づいて、上記２組の方向指示情報のそれぞれに対応する現在の基本情報伝送ユニット及び現在の基本情報伝送ユニットに隣接する後続の基本情報伝送ユニットを確定することができる。
【００６４】
図６を参照すると、一例示的な実施例に係る伝送方向情報を確定する別の応用シナリオを示す模式図である。ＵＥが現在の基本情報伝送ユニット、例えばｓｌｏｔ０から方向構成情報Ｄｃ１を取得し、そして、Ｄｃ１には、方向情報１、方向情報２、方向情報３のような３つの方向指示情報が含まれていると仮定する。この場合、表１に示すように、ＵＥは、プリセット規則に従って、上記３つの方向指示情報のそれぞれに対応するｓｌｏｔ０、ｓｌｏｔ１、ｓｌｏｔ２を確定することができる。
【００６５】
【表１】
2021507612.tif 000003
同じ理由で、ｓｌｏｔ２により取得された方向構成情報Ｄｃ２に方向情報４、方向情報５のような２つの方向指示情報が含まれている場合、表２に示すように、ＵＥは、上記プリセット規則に従って、上記２つの方向指示情報のそれぞれに対応するｓｌｏｔ２、ｓｌｏｔ３を確定することができる。
【００６６】
【表２】
2021507612.tif 000004
上記表１、表２によれば、方向情報３及び方向情報４が同一の予め設定された基本情報伝送ユニットｓｌｏｔ２に属する２つの方向指示情報であることが分かる。
【００６７】
本発明の別の実施例では、前記方向構成情報は、基本情報伝送ユニットのアイデンティティ識別子と方向指示情報との間の対応関係を含む。
【００６８】
図７を参照すると、一例示的な実施例に係る別の伝送方向情報を確定する方法を示すフローチャートである。上記ステップ１２０１は、下記のステップを含むことができる。
ステップ１２２１において、前記方向構成情報のそれぞれに含まれた前記基本情報伝送ユニットの識別子情報に基づいて、繰り返し指示識別子が存在しているか否かを確定する。
【００６９】
ここで、上記繰り返し指示識別子とは、方向指示情報が繰り返し割り当てられた基本情報伝送ユニットのアイデンティティ識別子である。なお、本発明において、異なる方向構成情報は、同一の基本情報伝送ユニットのアイデンティティ識別子に対する表示方式が異なることができるが、ＵＥは、それが同一の基本情報伝送ユニットを示すことを確定することができる。
【００７０】
ステップ１２２２において、前記繰り返し指示識別子が存在している場合、前記繰り返し指示識別子に対応する少なくとも２つの方向指示情報を確定する。
【００７１】
本発明の実施例では、方向情報が指示されている基本情報伝送ユニットの識別子が方向構成情報に含まれている場合、基本情報伝送ユニットの識別子情報に基づいて、方向指示情報がどの又はどれらの基本情報伝送ユニットに繰り返して構成されたかを速やかに確定することによって、ターゲット情報伝送ユニットの検出効率を向上させることができるので、ターゲット情報伝送ユニットのために唯一の方向情報を確定する効率を高めることができる。
【００７２】
ステップ１２０２において、前記少なくとも２つの方向指示情報が一致しているか否かを確定する。
【００７３】
本発明の実施例において、２つ又は複数の方向指示情報の内容が完全に一致しているか否かを確定する。完全に一致している場合、いずれか一つの方向指示情報に従って、ターゲット情報伝送ユニットの伝送方向を確定することができる。一致していない場合、下記のステップ１２０３を実行する。
【００７４】
ステップ１２０３において、前記少なくとも２つの方向指示情報が完全に一致していない場合、前記予め設定された基本情報伝送ユニットを前記ターゲット情報伝送ユニットとして確定する。
【００７５】
図６に示すように、上記方向構成情報の検出時間周期が２つの基本情報伝送ユニットであると仮定し、上記基本情報伝送ユニットが依然として１つのスロット（ｓｌｏｔ）を一例とし、ＵＥがｓｌｏｔ０のＤｃ１の中から第１の方向構成情報を検出され、当該Ｄｃ１がｓｌｏｔ０、ｓｌｏｔ１、ｓｌｏｔ２の伝送方向をそれぞれ指示すると仮定する。ＵＥは、ｓｌｏｔ２に到着すると、ｓｌｏｔ２のＤｃ２の中から第２の方向構成情報を検出し、当該Ｄｃ２は、ｓｌｏｔ２、ｓｌｏｔ３の伝送方向をそれぞれ指示している。この場合、上記基本情報伝送ユニットｓｌｏｔ２は、繰り返し指示された伝送ユニット、即ちターゲット情報伝送ユニットに属する。
【００７６】
Ｄｃ１に含まれたｓｌｏｔ２の方向指示情報を第１の方向指示情報Ｆ２１として表し、Ｄｃ２に含まれたｓｌｏｔ２の方向指示情報を第２の方向指示情報Ｆ２２として表すと仮定した場合、ＵＥは、上記第１の方向指示情報Ｆ２１と上記の第２の方向指示情報Ｆ２２が一致しているか否かをさらに判断することができる。上記２つの方向指示情報の内容が完全に一致していない場合、基本情報伝送ユニットｓｌｏｔ２、即ち図６に示したＳ２をターゲット情報伝送ユニットとして確定する。
【００７７】
ステップ１３において、プリセット規則に従って、前記ターゲット情報伝送ユニットの伝送方向情報を確定する。
【００７８】
上記第１の状況に対応して、本発明の実施例において、ＵＥは、以下のいずれか一つの方式を採用してターゲット情報伝送ユニットの伝送方向情報を確定することができる。
【００７９】
方式１：既に指示された伝送ユニットの方向指示情報を参照して、前記ターゲット情報伝送ユニットの伝送方向情報を確定する。ここで、前記既に指示された伝送ユニットは、前記ターゲット情報伝送ユニットとともに同一の前記予め設定された検出時間範囲に属する基本情報伝送ユニットである。例示的に、ｓｌｏｔ０、ｓｌｏｔ１は、図４−１に示すように、ターゲット情報伝送ユニットｓｌｏｔ２、ｓｌｏｔ３に対して、上記の既に指示された伝送ユニットに属する。
【００８０】
図４−１に示すように、上記のｓｌｏｔ０、ｓｌｏｔ１の伝送方向情報を上記ターゲット情報伝送ユニット、即ちｓｌｏｔ２、ｓｌｏｔ３の伝送方向情報として確定することができる。
【００８１】
図４−２において、上記のｓｌｏｔ４の方向指示情報をｓｌｏｔ５の方向指示情報として確定することができる。或いは、基地局により予め指示されたプリセット規則に従って、ｓｌｏｔ６又はｓｌｏｔ７の方向指示情報を参照してｓｌｏｔ５の伝送方向情報を確定する。
【００８２】
方式２：予め取得された指示情報に従って、前記ターゲット情報伝送ユニットの伝送方向情報を、ｕｎｋｎｏｗｎとして確定する。ここで、ｕｎｋｎｏｗｎは、当該基本情報伝送ユニットに方向を構成しないことを表す。１つの基本情報伝送ユニットがｕｎｋｎｏｗｎとして構成された場合、基地局がＵＥに当該基本情報伝送ユニットを利用して情報伝送を行わないように指示することを表す。ＵＥは、当該基本情報伝送ユニットに到着する時、アップリンク情報を送信せず、ダウンリンク情報を受信せず、何の検出も行わない。言い換えれば、ＵＥは当該基本情報伝送ユニットを利用できない。
【００８３】
例えば、基地局は、伝送方向が明確でない全てのターゲット情報伝送ユニットの伝送方向をｕｎｋｎｏｗｎとして確定することを規定し、即ち、ＵＥに上記ターゲット情報伝送ユニットを利用して情報伝送を行わないように指示する。上記ターゲット情報伝送ユニットに到着する時、ダウンリンク情報の検出も行わなく、当該伝送ユニットを利用してアップリンクデータも送信しないことにより、ＵＥの電力消費を節約することができる。
【００８４】
方式３：第１の予め設定された方向構成情報に基づいて、前記ターゲット情報伝送ユニットの伝送方向情報を確定する。
【００８５】
本発明の別の実施例において、ＵＥは、以前に取得された方向構成情報に基づいて、上記ターゲット情報伝送ユニットの伝送方向情報を確定することができる。
【００８６】
本発明の実施例において、ＵＥには、方向構成情報を動的に取得することに加えて、その他の方向構成情報が予め構成されることもできる。例えば、システムによりブロードキャストされた方向構成情報、及びＵＥがシステム構成情報に基づいて、ＵＥの機器タイプに応じて予め確定した方向構成情報であることができる。ただし、上記第１の予め設定された方向構成情報の優先度は、動的に取得された方向構成情報の優先度よりも低い。一般に、１つの基本情報伝送ユニットの伝送方向情報は、優先度の最も高い方向構成情報に基いて確定される。
【００８７】
１つの基本情報伝送ユニットの伝送方向が優先度の最も高い方向構成情報に従って確定されない場合、次の優先度の方向構成情報に従って上記ターゲット情報伝送ユニットの伝送方向情報を確定することができる。例えば、ＵＥの機器タイプに応じて予め確定された方向構成情報を参照して、上記ターゲット情報伝送ユニットの伝送方向情報を確定することができる。
【００８８】
上記第２の状況に対応して、本発明の実施例において、上記方式２を採用してターゲット情報伝送ユニットの伝送方向情報を確定することに加えて、以下の方式をさらに含むことができる。
【００８９】
方式４：最新に取得された方向指示情報を参照して、前記ターゲット情報伝送ユニットの伝送方向情報を確定する。上記の図６に示すように、Ｄｃ２に含まれたｓｌｏｔ２の方向指示情報を参照して、ｓｌｏｔ２の伝送方向情報を確定することができる。
【００９０】
方式５：既に取得された前記ターゲット情報伝送ユニットの方向指示情報を全て無効情報として確定し、第１の予め設定された方向構成情報に従って、前記ターゲット情報伝送ユニットの伝送方向情報を再確定する。上記方式３と同様に、ＵＥにより予め得られた次の優先度を有する方向構成情報に従って、例えば、システムにより指示された、機器タイプに応じて確定された方向構成情報に従って、図６のｓｌｏｔ２の伝送方向情報を再確定する。再び構成された後の伝送方向情報と上記既に取得された伝送方向情報が完全に一致せず、部分的に一致しないこともできる。
【００９１】
本発明において、上記第１の予め設定された方向構成情報は、１つの基本情報伝送ユニットに対して伝送方向構成を行うことができる。
【００９２】
方式６：上記基本情報伝送ユニットは、より小さなリソース粒度を有する単位時間領域リソースをさらに含み、且つ、上記ターゲット情報伝送ユニットの方向指示情報において、上記単位時間領域リソースを方向指示粒度として伝送方向指示を行う。本発明の実施例において、ＵＥは、方向指示情報が一致しないターゲット単位時間領域リソースのみに対して伝送方向情報を再確定することによって、情報処理量を減少させることができる。
【００９３】
上記方式６に関して、図８を参照すると、一例示的な実施例に係る別の伝送方向情報を確定する方法を示すフローチャートである。上記ステップ１３は、下記のステップを含むことができる。
【００９４】
ステップ１３１において、前記ターゲット情報伝送ユニットにおける対応する少なくとも２つの方向指示情報に基づいて、方向指示情報が一致しないターゲット単位時間領域リソースを確定する。
【００９５】
ステップ１３２において、第２の予め設定された方向構成情報に従って、前記ターゲット単位時間領域リソースの伝送方向情報を確定する。
【００９６】
本発明の実施例において、第２の予め構成された方向構成情報は、より小さなリソース粒度を有する単位時間領域リソースに対して伝送方向情報を指示することができる。
【００９７】
図９−１を参照すると、一例示的な実施例に係る伝送方向情報を確定する別の応用シナリオを示す模式図である。依然として基本情報伝送ユニットが１つのスロット（ｓｌｏｔ）であることを一例として、５Ｇネットワークにおける１つのｓｌｏｔに１４個のＯＦＤＭシンボル（ｓｙｍｂｏｌ）が含まれていると仮定し、上記繰り返し指示されたターゲット情報伝送ユニットが図６のｓｌｏｔ２であると仮定する場合、ｓｌｏｔ２に対する上記第１の方向指示情報Ｆ２１の方向指示は、図９−１の上の図面に示すとおりである。ここで、ｓｙｍｂｏｌ９は、方向情報が指示されていないことを表す。ｓｌｏｔ２に対する上記第２の方向指示情報Ｆ２２の方向指示は、図９−１の下の図面に示すとおりである。ここで、ｓｙｍｂｏｌ７は、方向情報が指示されていないことを表す。比較すると分かるように、番号がそれぞれ７、８、９であるｓｙｍｂｏｌに対する２つの方向指示情報の方向情報指示が一致しないので、ｓｙｍｂｏｌ７、ｓｙｍｂｏｌ８、ｓｙｍｂｏｌ９は、伝送方向の確定待ちのターゲット単位時間領域リソースである。
【００９８】
本発明の実施例において、上記の方式２、方式３、方式４と同様な方式を採用して、上記ターゲット単位時間領域リソースの伝送方向情報を確定することもできる。
【００９９】
例えば、ｓｙｍｂｏｌ７、ｓｙｍｂｏｌ８、ｓｙｍｂｏｌ９の伝送方向情報をｕｎｋｎｏｗｎとして確定し、ＵＥに上記ターゲット単位時間領域リソースを利用して伝送方向情報を確定しないように指示することができる。上記方式２と同様に、確定された結果は図９−２に示すとおりである。ここで、図９−２の空白のｓｙｍｂｏｌは、当該ｓｙｍｂｏｌの伝送方向情報が構成しないｕｎｋｎｏｗｎであることを表す。
【０１００】
或いは、プリセット規則に従って、例えば、上記方式４と同様に、最新に取得された第２の方向指示情報Ｆ２２内の指示方向情報を基準として、第２の方向指示情報Ｆ２２において方向情報が指示されていないｓｙｍｂｏｌ７に対して、相補の方式を採用して第１の方向指示情報に従ってその方向情報を確定することができ、その確定結果が図９−３に示すとおりである。
【０１０１】
同じ理由で、本発明の別の実施例において、プリセット規則に従って、第１の方向指示情報を主とし、第２の方向指示情報を補充として、ｓｌｏｔ２の伝送方向情報を再確定することもできるが、上記の一例は、本発明を限定するものとして理解されるべきではない。
【０１０２】
要約すれば、本発明に提供される伝送方向情報を確定する方法を採用することによって、基地局によりターゲット情報伝送ユニットに対して指示された伝送方向情報が明確でない場合、プリセット規則に従ってターゲット情報伝送ユニットの伝送方向情報を明確に確定することで、不明確である伝送方向情報によるＵＥの挙動の混乱及びシステムの不安定化を回避することができるので、システム伝送リソースの構成の柔軟性を確保するとともに、システムの安定性を効果的に向上し、情報伝送の信頼性を確保し、異なるサービスのニーズを満たし、５Ｇネットワーク機器に対するユーザの体験を向上させることができる。
【０１０３】
前述の各方法の実施例に関して、説明を簡単にするために、それらをすべて一連の動作の組み合わせとして説明されているが、本発明によれば、特定のステップが他の順序で又は同時に実行される可能性があるので、当業者は、本明細書において説明された動作順序によって限定されないことを理解すべきである。
【０１０４】
次に、当業者は、明細書に記載された実施例は、すべて選択可能な実施例に属し、関与する動作及びモジュールは、本発明に必ずしも必要ではないことも理解すべきである。
【０１０５】
本発明は、前述したアプリケーション機能の実現方法の実施例に対応して、アプリケーション機能の実現装置及び対応する端末の実施例をさらに提供する。
【０１０６】
図１０を参照すると、一例示的な実施例に係る伝送方向情報を確定する装置を示すブロック図である。ユーザ機器に設けられる、伝送方向情報を確定する装置であって、前記装置は、
基地局により動的に送信された方向構成情報を取得するように配置される情報取得モジュール２１と、
前記方向構成情報に基づいて、伝送方向の指示が明確でないターゲット情報伝送ユニットを確定するように配置されるターゲット確定モジュール２２と、
プリセット規則に従って、前記ターゲット情報伝送ユニットの伝送方向情報を確定するように配置される方向情報確定モジュール２３と、を備え、前記方向構成情報は、情報伝送リソースの伝送方向情報を指示するためのものである。
【０１０７】
本発明の実施例では、前記方向構成情報は、少なくとも基本情報伝送ユニットの方向指示情報を含む。
【０１０８】
図１１を参照すると、一例示的な実施例に係る別の伝送方向情報を確定する装置を示すブロック図である。図１０に示す装置の実施例の上で、前記ターゲット確定モジュール２２は、
前記方向構成情報に基づいて、１つの予め設定された検出時間範囲内において、対応する方向指示情報が各基本情報伝送ユニットに存在しているか否かを確定するように配置される第１の検出サブモジュール２２１１と、
対応する方向指示情報が１つの前記予め設定された検出時間範囲内において一部の基本情報伝送ユニットに存在していない場合、前記一部の基本情報伝送ユニットを前記ターゲット情報伝送ユニットとして確定するように配置される第１のターゲット確定サブモジュール２２１２と、を備えることができる。
【０１０９】
図１２を参照すると、一例示的な実施例に係る別の伝送方向情報を確定する装置を示すブロック図である。図１０に示す装置の実施例の上で、前記ターゲット確定モジュール２２は、
前記方向構成情報に基づいて、同一の予め設定された基本情報伝送ユニットに対する少なくとも２つの方向指示情報を確定するように配置される指示情報確定サブモジュール２２２１と、
前記少なくとも２つの方向指示情報が一致しているか否かを確定するように配置される第２の検出サブモジュール２２２２と、
前記少なくとも２つの方向指示情報が完全に一致しない場合、前記予め設定された基本情報伝送ユニットを前記ターゲット情報伝送ユニットとして確定するように配置される第２のターゲット確定サブモジュール２２２３と、を備えてもよい。
【０１１０】
本発明の別の装置の実施例では、前記方向構成情報は、基本情報伝送ユニットの識別子情報をさらに含むことができる。それに応じて、図１３を参照すると、一例示的な実施例に係る別の伝送方向情報を確定する装置を示すブロック図である。図１２に示す装置の実施例の上で、前記指示情報確定サブモジュール２２２１は、
前記方向構成情報のそれぞれに含まれた前記基本情報伝送ユニットの識別子情報に基づいて、繰り返し指示識別子が存在しているか否かを確定するように配置されるターゲット識別子確定ユニット２２０１と、
前記繰り返し指示識別子が存在する場合、前記繰り返し指示識別子に対応する少なくとも２つの方向指示情報を確定するように配置される指示情報確定ユニット２２０２と、を備えてもよい。
【０１１１】
図１４を参照すると、一例示的な実施例に係る別の伝送方向情報を確定する装置を示すブロック図である。図１１に示す装置の実施例の上で、前記方向情報確定モジュール２３は、
既に指示された伝送ユニットの方向指示情報を参照して、前記ターゲット情報伝送ユニットの伝送方向情報を確定するように配置される第１の方向情報確定サブモジュール２３１１と、
前記ターゲット情報伝送ユニットの伝送方向情報を、構成しないｕｎｋｎｏｗｎとして確定するように構成される第２の方向情報確定サブモジュール２３１２と、
第１の予め設定された方向構成情報に基づいて、前記ターゲット情報伝送ユニットの伝送方向情報を確定するように配置される第３の方向情報確定サブモジュール２３１３と、のうちのいずれか一つを備えることができる。ここで、前記既に指示された伝送ユニットは、前記ターゲット情報伝送ユニットとともに同じ前記予め設定された検出時間範囲に属する基本情報伝送ユニットである。
【０１１２】
図１５を参照すると、一例示的な実施例に係る別の伝送方向情報を確定する装置を示すブロック図である。図１２に示す装置の実施例の上で、前記方向情報確定モジュール２３は、
最新に取得された方向指示情報を参照して、前記ターゲット情報伝送ユニットの伝送方向情報を確定するように配置される第４の方向情報確定サブモジュール２３２１と、
前記ターゲット情報伝送ユニットの伝送方向情報を、構成しないｕｎｋｎｏｗｎとして確定するように配置される第５の方向情報確定サブモジュール２３２２と、
第１の予め設定された方向構成情報に基づいて、前記ターゲット情報伝送ユニットの伝送方向情報を再確定するように配置される第６の方向情報確定サブモジュール２３２３と、のうちのいずれか一つを備えることができる。
【０１１３】
本発明の別の装置の実施例では、前記基本情報伝送ユニットがより小さなリソース粒度を有する単位時間領域リソースからなり、且つ前記方向指示情報が前記単位時間領域リソースを方向指示粒度とする場合、図１６を参照すると、一例示的な実施例に係る別の伝送方向情報を確定する装置を示すブロック図であり、図１２に示す装置の実施例の上で、上記の方向情報確定モジュール２３は、
前記ターゲット情報伝送ユニットにおける対応する少なくとも２つの方向指示情報に基づいて、方向指示情報が一致していないターゲット単位時間領域リソースを確定するように配置されるターゲットリソース確定サブモジュール２３０１と、
第２の予め構成された方向構成情報に従って、前記ターゲット単位時間領域リソースの伝送方向情報を確定するように配置される方向情報確定サブモジュール２３０２と、を備えることができる。
【０１１４】
装置の実施例は、基本的に方法の実施例に対応するので、関連する部分は方法の実施例の説明を参照すればよい。上記の装置の実施例は、単に模式的な例に過ぎない。ここで、前記分離部品として説明したモジュールは、物理的に分離されている場合又はそうではない場合があり、表示部材とするモジュールは、物理的なモジュールである場合又はそうではない場合がある。即ち、１つの場所に位置してもよく、または複数のネットワークモジュールに分散されてもよい。本発明の目的は、実際の必要に応じてその一部又は全部のモジュールが選択されることで実現されることができる。当業者は、創造的な労働を付与しない前提で、本発明を理解し実施することができる。
【０１１５】
それに応じて、一態様によれば、プロセッサーと、プロセッサーの実行可能な命令を記憶するためのメモリとを備える伝送方向情報を確定する装置であって、
前記プロセッサーは、
基地局により動的に送信された方向構成情報を取得し、
前記方向構成情報に基づいて、伝送方向の指示が明確でないターゲット情報伝送ユニットを確定し、
プリセット規則に従って、前記ターゲット情報伝送ユニットの伝送方向情報を確定するように配置され、前記方向構成情報は、情報伝送リソースの伝送方向情報を指示するためのものである伝送方向情報を確定する装置を提供する。
【０１１６】
図１７は、一例示的な実施例に係る伝送方向情報を確定する装置１７００を示す構造模式図である。例えば、装置１７００は、５Ｇネットワークにおけるユーザ機器であってもよく、具体的には、携帯電話、コンピュータ、デジタルブロードキャスト端末、メッセージ送受信機、ゲームコンソール、タブレットデバイス、医療機器、フィットネス機器、ＰＤＡ、及びスマートウォッチ、スマートグラス、スマートブレスレット、スマートランニングシューズなどのようなウェアラブル機器であってもよく、５ＧネットワークにおけるｅＭＢＢ（ｅｎｈａｎｃｅｄ  Ｍｏｂｉｌｅ  Ｂｒｏａｄ  Ｂａｎｄ、高速大容量）、ｍＭＴＣ（ｍａｓｓｉｖｅ  Ｍａｃｈｉｎｅ  Ｔｙｐｅ  Ｃｏｍｍｕｎｉｃａｔｉｏｎ、大規模マシンタイプ通信）、ＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ、超高信頼性低遅延通信）などのタイプの機器に属することができる。
【０１１７】
図１７を参照すると、装置１７００は、処理ユニット１７０２、メモリ１７０４、電源ユニット１７０６、マルチメディアユニット１７０８、オーディオユニット１７１０、入力/出力（Ｉ/Ｏ）インターフェース１７１２、センサーユニット１７１４、及び通信ユニット１７１６からなる群から選ばれる少なくとも１つを備えてもよい。
【０１１８】
処理ユニット１７０２は、一般的には、装置１７００の全体の操作、例えば、表示、電話呼び出し、データ通信、カメラ操作及び記録操作に関連する操作を制御する。処理ユニット１７０２は、上記の方法におけるステップの一部又は全部を実現できるように、命令を実行する少なくとも１つのプロセッサー１７２０を備えてもよい。また、処理ユニット１７０２は、他のユニットとのインタラクションを便利にさせるように、少なくとも１つのモジュールを備えてもよい。例えば、処理ユニット１７０２は、マルチメディアユニット１７０８とのインタラクションを便利にさせるように、マルチメディアモジュールを備えてもよい。
【０１１９】
メモリ１７０４は、装置１７００での操作をサポートするように、各種のデータを記憶するように配置される。これらのデータは、例えば、装置１７００で何れのアプリケーション又は方法を操作するための命令、連絡先データ、電話帳データ、メッセージ、画像、ビデオなどを含む。メモリ１７０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
電源ユニット１７０６は、装置１７００の各種ユニットに電力を供給するためのものであり、電源管理システム、１つ又は複数の電源、及び装置１７００のために電力を生成、管理及び分配することに関連する他のユニットを備えてもよい。
【０１２０】
マルチメディアユニット１７０８は、装置１７００とユーザとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１７０８は、フロントカメラ及び/又はバックカメラを有してもよい。装置１７００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１２１】
オーディオユニット１７１０は、オーディオ信号を出力及び/又は入力するように配置される。例えば、オーディオユニット１７１０は、マイクロフォン（ＭｉＣ）を有してもよい。装置１７００が、例えば、呼び出しモード、記録モード、又は音声認識モードのような操作モードにあるとき、マイクロフォンは、外部のオーディオ信号を受信するように配置される。受信したオーディオ信号は、メモリ１７０４にさらに記憶されてもよいし、通信ユニット１７１６を介して送信されてもよい。一実施例では、オーディオユニット１７１０は、オーディオ信号を出力するためのスピーカをさらに備えてもよい。
【０１２２】
Ｉ/Ｏインターフェース１７１２は、処理ユニット１７０２と外部のインターフェースモジュールとの間にインターフェースを提供するためのものである。上記の外部のインターフェースモジュールは、キーボードや、クリックホイールや、ボタンなどであってもよい。これらのボタンは、ホームボタンや、音量ボタンや、スタートボタンや、ロックボタンであってもよいが、それらに限らない。
【０１２３】
センサーユニット１７１４は、装置１７００のために各方面の状態を評価する少なくとも１つのセンサーを備えてもよい。例えば、センサーユニット１７１４は、装置１７００のオン/オフ状態や、ユニットの相対的な位置を検出することができる。例えば、前記ユニットは、装置１７００のディスプレイ及びキーパッドである。センサーユニット１７１４は、装置１７００又は装置１７００の１つのユニットの位置の変化、ユーザによる装置１７００への接触の有無、装置１７００の方向又は加速/減速、装置１７００の温度変化などを検出することができる。センサーユニット１７１４は、何れの物理的な接触もない場合に付近の物体を検出するように配置される近接センサーを有してもよい。センサーユニット１７１４は、イメージングアプリケーションに用いるための光センサー、例えば、ＣＭＯＳ又はＣＣＤ画像センサーを有してもよい。一実施例では、当該センサーユニット１７１４は、加速度センサー、ジャイロスコープセンサー、磁気センサー、圧力センサー又は温度センサーをさらに備えてもよい。
【０１２４】
通信ユニット１７１６は、装置１７００と他の設備の間との無線又は有線通信を便利にさせるように配置される。装置１７００は、通信標準に基づく無線ネットワーク、例えば、ＷｉＦｉ、２Ｇ又は３Ｇ、又はそれらの組み合わせにアクセスできる。１つの例示的な実施例では、通信ユニット１７１６は、ブロードキャストチャンネルを介して外部のブロードキャスト管理システムからのブロードキャスト信号又はブロードキャストに関する情報を受信する。１つの例示的な実施例では、前記通信ユニット１７１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ）技術及び他の技術によって実現されてもよい。
【０１２５】
例示的な実施例では、装置１７００は、上記の方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１２６】
例示的な実施例では、命令を有する非一時的コンピュータ読み取り可能な記録媒体、例えば、命令を有するメモリ１７０４をさらに提供する。前記命令は、装置１７００のプロセッサー１７２０により実行されて上記の伝送方向情報を確定する方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリなどであってもよい。
【０１２７】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１２８】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2021507612.tif 000005
【図２】
2021507612.tif 000006
【図３】
2021507612.tif 000007
【図４−１】
2021507612.tif 000008
【図４−２】
2021507612.tif 000009
【図５】
2021507612.tif 000010
【図６】
2021507612.tif 000011
【図７】
2021507612.tif 000012
【図８】
2021507612.tif 000013
【図９−１】
2021507612.tif 000014
【図９−２】
2021507612.tif 000015
【図９−３】
2021507612.tif 000016
【図１０】
2021507612.tif 000017
【図１１】
2021507612.tif 000018
【図１２】
2021507612.tif 000019
【図１３】
2021507612.tif 000020
【図１４】
2021507612.tif 000021
【図１５】
2021507612.tif 000022
【図１６】
2021507612.tif 000023
【図１７】
2021507612.tif 000024
【国際調査報告】
2021507612.tif 000025
2021507612.tif 000026
2021507612.tif 000027
2021507612.tif 000028